(57)【要約】【課題】  緊急告知放送を受信した場合に、自アダプタと接続されている電話機を呼出し、応答した相手へ確実に緊急告知情報を伝達する電話機用緊急告知放送受信アダプタを提供する。【解決手段】  放送電波受信部１０１が所定のラジオ受信機またはテレビ受信機向けに放送される放送電波を受信し、特定信号抽出記憶部１０２が放送電波に含まれる緊急告知に係る特定信号を抽出した場合に、接続切替スイッチ１０９は電話機１１３の接続先を本アダプタ１０に切り替え、電話機呼び出し部１０６は着信信号と同一の信号形式の疑似着信信号を生成し前記電話機を呼出し、オンフック／オフフック検出部１０７が電話機１１３のオフフックを検知したならば、緊急告知情報記憶部１０３に記憶された放送電波に含まれる放送音声、またはガイダンス音声送出部１０５からの緊急告知に係る予め記憶されているガイダンス音声を電話機１１３へ送出する。【選択図】    図１
2015076850.tif 000002
【特許請求の範囲】
【請求項１】
電話回線と電話機との間に挿入されるアダプタであって、
所定のラジオ受信機またはテレビ受信機向けに放送される放送電波を受信する放送電波受信手段と、前記受信した放送電波に含まれる特定信号を抽出する特定信号抽出手段と、前記電話回線および前記電話機と自アダプタとの接続関係を切り替える接続切替手段と、前記電話回線からの着信信号と同一の信号形式の疑似着信信号を生成する疑似着信信号生成手段と、前記疑似着信信号生成手段が生成した疑似着信信号を前記電話機へ送出し前記電話機を呼出す電話機呼出手段と、前記電話機のオンフックまたはオフフックを検知するフック検知手段と、前記放送電波受信手段が受信した放送電波に含まれる放送音声または緊急告知に係る予め記憶されているガイダンス音声を前記電話機に送出する音声送出手段と、を有し、
前記特定信号抽出手段が緊急告知に係る特定信号を抽出した場合に、前記接続切替手段は前記電話機の接続先を自アダプタに切り替え、前記電話機呼出手段は前記電話機を呼出し、前記フック検知手段がオフフックを検知したならば、前記音声情報送出手段は前記放送音声またはガイダンス音声を当該電話機へ送出することを特徴とする電話機用緊急告知放送受信アダプタ。
【請求項２】
請求項１に記載のアダプタであって、
前記音声情報送出手段は前記放送電波受信手段が受信した放送電波に含まれる音声情報を前記電話機へ送出した後に、前記フック検知手段がオンフックを検知した場合に、前記接続切替手段は前記電話機の接続先を前記電話回線に切り替えることを特徴とする電話機用緊急告知放送受信アダプタ。
【請求項３】
請求項１または２に記載のアダプタであって、
前記電話機の接続先が前記電話回線である状態で前記電話機が通話中か否かを判定する通話中判定手段と、前記緊急告知に係る放送電波を受信した旨を案内するための所定の音声ガイダンスまたは前記音声情報送出手段が送出する音声情報を前記通話中の電話回線または電話機へ送出する緊急告知情報送出手段をさらに有し、
前記特定信号抽出手段が緊急告知に係る特定信号を抽出した場合に、前記電話機が通話中であったならば、前記接続切替手段は前記電話機および前記電話回線の接続先を自アダプタに切り替え、前記音声情報送出手段は前記放送音声またはガイダンス音声を前記電話機および前記電話回線へ送出することを特徴とする電話機用緊急告知放送受信アダプタ。
【請求項４】
請求項１〜３のいずれかに記載のアダプタであって、
前記電話機から所定のコマンドを受信するコマンド受信手段をさらに有し、
前記コマンド受信手段が緊急告知に係る音声情報の送出を要求する予め定められたコマンドを受信した場合に、
前記接続切替手段は前記電話機の接続先を自アダプタに切り替え、前記音声情報送出手段は前記放送音声またはガイダンス音声を当該電話機へ送出することを特徴とする電話機用緊急告知放送受信アダプタ。
【発明の詳細な説明】
【技術分野】
【０００１】
本発明は電話回線と電話機との間に挿入し、受信した緊急告知情報を電話機に送出する電話機用緊急告知放送受信アダプタに関する。
【背景技術】
【０００２】
災害発生時に緊急告知情報を迅速かつ的確に伝達するための手段として、ラジオ放送はとりわけ有効である。特許文献１には、ラジオ放送の信号に含まれる緊急告知情報に係るＤＴＭＦ信号を検出し、検出したＤＴＭＦ信号の組み合せに対応する緊急告知情報を表示する緊急放送用ラジオ受信機が示されている。
【０００３】
しかしながら、特許文献１に記載されている技術の場合、一方的な情報再生なので、近傍に人が居たとしても当該緊急告知情報が伝わらない恐れがあるという問題があった。
【先行技術文献】
【特許文献】
【０００４】
【特許文献１】特開２０１２−０２３６４１号公報
【発明の概要】
【発明が解決しようとする課題】
【０００５】
本発明の課題は、緊急告知放送を受信した場合に、自アダプタと接続されている電話機を呼出し、応答した相手へ確実に緊急告知情報を伝達する電話機用緊急告知放送受信アダプタを提供することにある。
【課題を解決するための手段】
【０００６】
上記の課題を解決するために、本発明は、電話回線と電話機との間に挿入されるアダプタであって、所定のラジオ受信機またはテレビ受信機向けに放送される放送電波を受信する放送電波受信手段と、前記受信した放送電波に含まれる特定信号を抽出し記憶する特定信号抽出記憶手段と、前記電話回線および前記電話機と自アダプタとの接続関係を切り替える接続切替手段と、前記電話回線からの着信信号と同一の信号形式の疑似着信信号を生成し前記電話機へ送出し前記電話機を呼出す電話機呼出手段と、前記電話機のオンフックまたはオフフックを検知するフック検知手段と、前記放送電波受信手段が受信した放送電波に含まれる放送音声または緊急告知に係る予め記憶されているガイダンス音声を前記電話機に送出する音声送出手段と、を有し、前記特定信号抽出手段が緊急告知に係る特定信号を抽出した場合に、前記接続切替手段は前記電話機の接続先を自アダプタに切り替え、前記電話機呼出手段は前記電話機を呼出し、前記フック検知手段がオフフックを検知したならば、前記音声情報送出手段は前記放送音声またはガイダンス音声を当該電話機へ送出することを特徴とする。
【発明の効果】
【０００７】
本発明によれば、自アダプタと接続されている電話機を呼出し、当該呼出しに応答した相手へ、受信して記憶しておいた緊急告知情報を送出するので、前記電話機の近傍に居る者へ、放送された緊急告知情報を確実に伝達出来るという利点がある。
【図面の簡単な説明】
【０００８】
【図１】本発明における電話機用緊急告知放送受信アダプタの制御処理に関するブロック構成図である。
【図２】本発明における電話機用緊急告知放送受信アダプタの制御処理に関するフロー図である。
【発明を実施するための形態】
【０００９】
以下、本発明における電話機用緊急告知放送受信アダプタ（以下、本アダプタと略すこともある）について、図面を用いて説明する。
【００１０】
図１は、本アダプタ１０のブロック構成図である。本アダプタ１０は、放送電波受信部１０１が受信した放送電波に含まれる特定信号（例えばＤＴＭＦ信号）を抽出し記憶する特定信号抽出記憶部１０２、放送電波に含まれる緊急告知に関わる音声情報を記憶、再生する緊急告知情報記憶部１０３、本アダプタ１０の全体を制御する制御部１０４、緊急告知放送に係るガイダンス音声を送出するガイダンス音声送出部１０５、電話機１１３の着信表示，着信鳴動機能を起動させるための疑似着信信号（１６Ｈｚ）を生成し電話機１１３へ送出する電話機呼び出し部１０６、オンフック／オフフック検出部１０７、電話機１１３からの所定のコマンド（例えば、電話機ダイヤルボタンより＃０００と操作した場合、ＤＴＭＦ信号で９４１Ｈｚ＋１４４７Ｈｚの和音が１回と９４１Ｈｚ＋１３３６Ｈｚの和音が３回）を検出するコマンド受信部１０８、電話網１１２または電話機１１３の接続先を本アダプタ１０に切り替える接続切替スイッチ１０９、音声分配部１１０、電話機１１３または電話回線へ送出するガイダンス音声と放送電波に含まれる音声情報と疑似着信信号を切り替える音声切替スイッチ１１１で構成されている。
【００１１】
放送電波受信部１０１は、一般的なラジオ受信機またはテレビ受信機向けの放送電波を受信し、放送されてくる音声信号を抽出し、抽出した音声信号を特定信号抽出記憶部１０２と緊急告知情報記憶部１０３に出力する。
【００１２】
特定信号抽出記憶部１０２は、放送電波受信部１０１から入力する音声信号に含まれている特定信号（例えばＤＴＭＦ信号）を監視する。この特定信号は、緊急告知情報が放送される際に、その冒頭に挿入されており、この特定信号を抽出した場合、特定信号抽出記憶部１０２は、抽出した特定信号を制御部１０４へ出力する。また抽出された特定信号は再度特定信号が抽出されるまで記憶される。なお、特定信号は、例えば、予め定められた１６種類のＤＴＭＦ信号の組み合わせであって、その組み合わせと、地震、津波、台風等の緊急告知情報の内容と緊急告知情報の終了指示が対応付けられているものとする。
【００１３】
緊急告知情報記憶部１０３は、制御部１０４の制御により、記憶した緊急告知に関わる放送音声を音声切替スイッチ１１１，音声分配器１１０，接続切替スイッチ１０９を介して、電話機１１３へ送出する。放送音声の記憶は、特定信号（例えば地震）が抽出された場合、制御部１０４の制御により記憶が開始され、緊急告知情報の終了指示が抽出された場合、制御部１０４の制御により記憶が終了する。
【００１４】
制御部１０４は、放送電波受信部１０１、特定信号抽出記憶部１０２、緊急告知情報記憶部１０３、ガイダンス音声送出部１０５、電話機呼び出し部１０６、オンフック／オフフック検出部１０７、コマンド受信部１０８、接続切替スイッチ１０９、音声切替スイッチ１１１の各部の制御を実行すると共に、各部との間で情報を授受する。
【００１５】
ガイダンス音声送出部１０５は、制御部１０４の制御により予め記憶されているガイダンス音声（例えば、「地震が発生しました。」）を、音声切替スイッチ１１１，音声分配器１１０，接続切替スイッチ１０９を介して、電話機１１３へ送出する。ここで、ガイダンス音声は複数の種類があり、特定信号に対応付けられて、ガイダンス音声送出部１０５内の登録部（図示せず）に登録されている。
【００１６】
電話機呼出し部１０６は、着信鳴動機能を起動させるための疑似着信信号（１６Ｈｚ）を生成し制御部１０４の制御により音声切替スイッチ１１１，音声分配器１１０，接続切替スイッチ１０９を介して、電話機１１３へ送出する。
【００１７】
オンフック／オフフック検出部１０７は、電話機のオンフック／オフフック状態を監視し制御部１０４へ送出する。
【００１８】
コマンド受信部１０８は、電話機１１３からの所定のコマンド（例えば、電話機ダイヤルボタンより＃０００と操作した場合のＤＴＭＦ信号）を受信して制御部１０４へ送出する。
【００１９】
接続切替スイッチ１０９は、オンフック／オフフック検出部１０７がオフフックであった場合、制御部１０４からの制御により電話網１０２側回線及び電話機１１３側回線を本アダプタ１０に接続する。オンフック／オフフック検出部１０７がオンフックであった場合は、制御部１０４からの制御により電話機１１３側回線を本アダプタ１０に接続する。さらに  コマンド受信部１０８で電話機１１３からの所定のコマンドを受信した場合は、制御部１０４からの制御により電話機１１３側回線を本アダプタ１０に接続する。
【００２０】
音声分配部１１０は、音声切替スイッチ１１１から送出される音声信号を分配し、接続切替スイッチ１０９へ送出する。音声分配のみを行い制御を必要としない。
【００２１】
音声切替スイッチ１１１は、制御部１０４の制御により緊急告知情報記憶部１０３に記憶された音声情報、ガイダンス音声送出部１０５から送出されるガイダンス音声信号、電話機呼び出し部１０６において生成した着信鳴動機能を起動させるための疑似着信信号（１６Ｈｚ）を切り替え、音声分配部１１０に送出する。
【００２２】
図２は、本発明における電話機用緊急告知放送受信アダプタの制御処理に関するフロー図である。本フローは本アダプタ１０の電源が投入されることでスタートする。初めに、初期設定として制御部１０４により放送電波受信部１０１へ受信周波数の設定が行われ、放送電波の受信が開始される（Ｓ１０１）。次に、放送電波の受信が開始されると、電話機１１３から所定のコマンド（例えば、電話機ダイヤルボタンより＃０００と操作した場合のＤＴＭＦ信号）を受信したか否かを判定する（Ｓ１０２）。
【００２３】
電話機１１３から所定のコマンドを受信しない場合（Ｓ１０２、Ｎｏ）、特定信号抽出記憶部１０２は放送電波受信部１０１が受信した放送電波からの特定信号の抽出を開始し（Ｓ１０３）、特定信号が含まれているか否かを判定する（Ｓ１０４）。
【００２４】
放送電波より特定信号を受信しない場合（Ｓ１０４、Ｎｏ）、Ｓ１０２に戻る。放送電波より特定信号を受信した場合（Ｓ１０４、ＹＥＳ）、特定信号抽出記憶部１０２において特定信号を記憶し、緊急告知情報記憶部１０３において放送音声の記憶を行う（Ｓ１０５）、次に、電話機１１３がオフフックしているか否かを判定する（Ｓ１０６）。
【００２５】
電話機１１３がオフフックしていない場合（Ｓ１０６、Ｎｏ）、電話機１１３が通話中ではないと判定し、接続切替スイッチ１０９を切り替えて電話機１１３側の回線を本アダプタ１０に接続する。（Ｓ１１２）、電話機呼出し部１０６は着信鳴動機能を起動させるための疑似着信信号（１６Ｈｚ）を電話機１１３に送出し（Ｓ１１３）、電話機１１３がオフフックしたか否かを再び判定する（Ｓ１１４）。
【００２６】
オフフックしていない場合（Ｓ１１４、Ｎｏ）、疑似着信信号の送信を継続する。オフフックした場合（Ｓ１１４、Ｙｅｓ）、制御部１０４は音声切替スイッチ１１１を切り替える。（図示せず）さらに制御部１０４は、ガイダンス音声送出部１０５を制御し特定信号抽出記憶部１０２において記憶した特定信号に対応したガイダンス音声（例えば、「地震が発生しました。」）を再生し、電話機１１３に送出する（Ｓ１０８）。
【００２７】
また、電話機１１３がオフフックされている場合（Ｓ１０６、Ｙｅｓ）、電話機１１３が通話中であると判定し、接続切替スイッチ１０９を切り替えて電話機１１３側の回線と電話網１１２側の回線を本アダプタ１０に接続し（Ｓ１０７）、Ｓ１０８へ進む。
【００２８】
音声ガイダンスの再生が終了した後は、制御部１０４は音声切替スイッチ１１１を切り替え、制御部１０４は緊急告知情報記憶部１０３を制御し、記憶した放送音声の再生を開始する（Ｓ１０９）。
【００２９】
記憶した放送音声の再生をしている間は、オンフックされたか否かを判定し（Ｓ１１０）、オンフックされていない場合は（Ｓ１１０、Ｎｏ）、記憶した放送音声の再生を継続する。オンフックされた場合は（Ｓ１１０、Ｙｅｓ）、記憶した放送音声の再生を終了し、接続切り替えスイッチ１０９を切り替えて、電話網１１２側回線と電話機１１３側回線を接続して（Ｓ１１１）、Ｓ１０２に戻る。
【００３０】
また、電話機１１３から所定のコマンド（例えば＃０００のＤＴＭＦ信号）を受信した場合（Ｓ１０２、Ｙｅｓ）、電話機１１３から記憶した放送音声の聴取要求があったと判断し、接続切り替えスイッチ１０９を切り替えて、電話機１１３側回線を本アダプタ１０に接続する（Ｓ１１５）。次に記憶した特定信号に対応する音声ガイダンスおよび記憶した放送音声の再生を開始し（Ｓ１１６）、オンフックされたか否かを判定する（Ｓ１１７）。
【００３１】
オンフックされていない場合は（Ｓ１１７、Ｎｏ）、記憶した放送音声の再生を継続する。オンフックされた場合は（Ｓ１１７、Ｙｅｓ）、Ｓ１１１へ進む。
【符号の説明】
【００３２】
１０・・・・・電話機用緊急告知放送受信アダプタ
１０１・・・・放送電波受信部
１０２・・・・特定信号抽出記憶部
１０３・・・・緊急告知情報記憶部
１０４・・・・制御部
１０５・・・・ガイダンス音声送出部
１０６・・・・電話機呼び出し部
１０７・・・・オンフック／オフフック検出部
１０８・・・・コマンド受信部
１０９・・・・接続切替スイッチ
１１０・・・・音声分配部
１１１・・・・音声切替スイッチ
１１２・・・・電話網
１１３・・・・電話機
【図１】
2015076850.tif 000003
【図２】
2015076850.tif 000004